(57)【要約】【課題】  高温環境下であっても、スマートフォン等の携帯端末を監視カメラとして安定的に利用することができ、防犯システムとしての信頼性を確保することができる監視用携帯端末およびこれを用いた防犯システム、監視用プログラム、ならびに管理サーバを提供する。【解決手段】  常時充電しながら監視カメラとして用いられる監視用携帯端末１であって、カメラから静止画像や動画像を監視画像データとして取得する監視画像データ取得部７４と、端末温度が処理開始温度以上であるか否か、および処理終了温度以下であるか否かを判定する端末温度判定部７２と、端末温度が処理開始温度以上であると判定された場合、充電を停止し、端末温度が処理終了温度以下であると判定された場合、充電を再開する温度制御処理部７３と、を有する。【選択図】  図１
2019154013.tif 000002
【特許請求の範囲】
【請求項１】
常時充電しながら監視カメラとして用いられる監視用携帯端末であって、
前記監視用携帯端末に設けられたカメラから静止画像および／または動画像を監視画像データとして取得する監視画像データ取得部と、
前記監視用携帯端末の端末温度が、前記端末温度を低下させる温度制御処理を開始するための処理開始温度以上であるか否か、および前記端末温度が前記温度制御処理を終了するための処理終了温度以下であるか否かを判定する端末温度判定部と、
前記端末温度判定部によって、前記端末温度が前記処理開始温度以上であると判定された場合、前記監視用携帯端末の充電を停止し、前記端末温度が前記処理終了温度以下であると判定された場合、前記監視用携帯端末の充電を再開する温度制御処理部と、
を有する、監視用携帯端末。
【請求項２】
前記温度制御処理部は、前記カメラの起動中に、充電の停止時間が所定の最大時間を超えた場合、前記カメラを停止し、前記端末温度が前記処理終了温度以下となった場合、前記カメラを起動する、請求項１に記載の監視用携帯端末。
【請求項３】
前記温度制御処理部は、以下の（ａ）〜（ｃ）のいずれかの場合に前記監視用携帯端末を再起動させる、請求項１または請求項２に記載の監視用携帯端末；
（ａ）充電の停止中に、前記監視用携帯端末の充電率が所定の最低充電率以下となった場合；
（ｂ）前記カメラを起動する前に、充電の停止時間が所定の最大時間を超えた場合；
（ｃ）前記カメラの停止中に、前記カメラの停止時間が所定の最大時間を超えた場合。
【請求項４】
前記監視用携帯端末を前記温度制御処理部として機能させる監視用プログラムとは別個に、管理サーバからの指示に基づいて、不具合が生じた前記監視用プログラムを復帰させる復帰処理部として前記監視用携帯端末を機能させる復帰用ウィジェットを有しており、
前記復帰処理部は、以下の（i）〜（iii）のいずれか一つ以上の処理を行う、請求項１から請求項３のいずれかに記載の監視用携帯端末；
（i）前記管理サーバからスクリーンショットの送信指示を受けた場合、前記監視用携帯端末のスクリーンショットを前記管理サーバへ送信する処理；
（ii）前記管理サーバから前記監視用プログラムの再起動指示を受けた場合、前記監視用プログラムを再起動する処理；
（iii）前記管理サーバから前記監視用携帯端末の再起動指示を受けた場合、前記監視用携帯端末を再起動する処理。
【請求項５】
前記監視画像データ取得部は、静止画像を前記監視画像データとして取得した場合、直前に取得した監視画像データとの差異率を算出し、前記差異率が所定の閾値以上の監視画像データのみを管理サーバへ送信する、請求項１から請求項４のいずれかに記載の監視用携帯端末。
【請求項６】
充電ケーブルの通電状態を切り替え可能な通電切替装置、またはワイヤレス充電器の送電状態を切替可能な送電切替装置を有しており、
前記温度制御処理部は、前記通電切替装置または前記送電切替装置に対して、前記監視用携帯端末の充電の停止または再開を指示する、請求項１から請求項５のいずれかに記載の監視用携帯端末。
【請求項７】
請求項１から請求項６のいずれかに記載の監視用携帯端末と、前記監視用携帯端末を管理する管理サーバとを有する防犯システム。
【請求項８】
常時充電しながら監視カメラとして用いられる監視用携帯端末で実行される監視用プログラムであって、
前記監視用携帯端末に設けられたカメラから静止画像および／または動画像を監視画像データとして取得する監視画像データ取得部と、
前記監視用携帯端末の端末温度が、前記端末温度を低下させる温度制御処理を開始するための処理開始温度以上であるか否か、および前記端末温度が前記温度制御処理を終了するための処理終了温度以下であるか否かを判定する端末温度判定部と、
前記端末温度判定部によって、前記端末温度が前記処理開始温度以上であると判定された場合、前記監視用携帯端末の充電を停止し、前記端末温度が前記処理終了温度以下であると判定された場合、前記監視用携帯端末の充電を再開する温度制御処理部
としてコンピュータを機能させる、監視用プログラム。
【請求項９】
請求項４から請求項６のいずれかに記載の監視用携帯端末から前記監視画像データを受信するとともに、前記監視用携帯端末へ指示を送信する管理サーバであって、
前記監視用携帯端末から前記監視画像データが所定時間以上送信されてこないとき、前記スクリーンショットの送信指示、前記監視用プログラムの再起動指示、または前記監視用携帯端末の再起動指示を前記監視用携帯端末へ送信する、管理サーバ。
【発明の詳細な説明】
【技術分野】
【０００１】
本発明は、監視カメラとして用いられる監視用携帯端末およびこれを用いた防犯システム、監視用プログラム、ならびに管理サーバに関するものである。
【背景技術】
【０００２】
近年、防犯意識が高まりつつある中、公共施設や大規模な民間施設等では、監視カメラを用いた防犯システムを設置することが一般的となっている。しかしながら、監視カメラは単価が高く、防犯システム全体としての導入コストも高価であるため、個人宅や小規模な民間施設等には、ほとんど普及していないのが現状である。
【０００３】
そこで、システムの低コスト化等を図るため、スマートフォン等の携帯端末を監視カメラとして用いることが考えられている。例えば、特開２０１４−８２６４７号公報には、スマートフォンを監視カメラおよび記録サーバとして利用する発明が開示されている（特許文献１）。
【先行技術文献】
【特許文献】
【０００４】
【特許文献１】特開２０１４−８２６４７号公報
【発明の概要】
【発明が解決しようとする課題】
【０００５】
しかしながら、スマートフォン等の携帯端末は、内蔵のバッテリーが駆動源であるため、長時間の連続使用には向いていない。このため、監視カメラとして利用するには、常時充電した状態での運用が最も現実的と考えられる。一方、スマートフォン等の携帯端末は、バッテリーを充電したり、カメラを起動するだけでも熱を発生し、約４０℃を超えると自動的に本体を停止させるものがほとんどである。
【０００６】
すなわち、一般的な携帯端末をそのまま監視カメラとして利用しようとしても、特に、直射日光が当たるような高温環境下では、端末温度が上昇しやすく停止したままになってしまうという問題がある。このため、継続的に映像を取得するという、監視カメラとしての役割を安定的に果たすことができず、防犯システムに必要な信頼性を確保することが困難であるという新たな課題が存在している。
【０００７】
本発明は、このような問題点を解決するためになされたものであって、高温環境下であっても、スマートフォン等の携帯端末を監視カメラとして安定的に利用することができ、防犯システムとしての信頼性を確保することができる監視用携帯端末およびこれを用いた防犯システム、監視用プログラム、ならびに管理サーバを提供することを目的としている。
【課題を解決するための手段】
【０００８】
本発明に係る監視用携帯端末は、高温環境下であっても、スマートフォン等の携帯端末を監視カメラとして安定的に利用するという課題を解決するために、常時充電しながら監視カメラとして用いられる監視用携帯端末であって、前記監視用携帯端末に設けられたカメラから静止画像および／または動画像を監視画像データとして取得する監視画像データ取得部と、前記監視用携帯端末の端末温度が、前記端末温度を低下させる温度制御処理を開始するための処理開始温度以上であるか否か、および前記端末温度が前記温度制御処理を終了するための処理終了温度以下であるか否かを判定する端末温度判定部と、前記端末温度判定部によって、前記端末温度が前記処理開始温度以上であると判定された場合、前記監視用携帯端末の充電を停止し、前記端末温度が前記処理終了温度以下であると判定された場合、前記監視用携帯端末の充電を再開する温度制御処理部と、を有する。
【０００９】
また、本発明の一態様として、充電のみの停止では、端末温度が低下しにくい状況下であっても、端末温度の低下率を向上するという課題を解決するために、前記温度制御処理部は、前記カメラの起動中に、充電の停止時間が所定の最大時間を超えた場合、前記カメラを停止し、前記端末温度が前記処理終了温度以下となった場合、前記カメラを起動する。
【００１０】
さらに、本発明の一態様として、充電およびカメラの両方が停止していても、端末温度が低下しにくい状況下において、端末温度を処理開始温度以下に低下させるという課題を解決するために、前記温度制御処理部は、以下の（ａ）〜（ｃ）のいずれかの場合に前記監視用携帯端末を再起動させてもよい。
（ａ）充電の停止中に、前記監視用携帯端末の充電率が所定の最低充電率以下となった場合
（ｂ）前記カメラを起動する前に、充電の停止時間が所定の最大時間を超えた場合
（ｃ）前記カメラの停止中に、前記カメラの停止時間が所定の最大時間を超えた場合
【００１１】
また、本発明の一態様として、監視用プログラムに不具合が発生しても、監視用プログラムとは別個に動作する復帰用ウィジェットによって復帰させるという課題を解決するために、前記監視用携帯端末を前記温度制御処理部として機能させる監視用プログラムとは別個に、管理サーバからの指示に基づいて、不具合が生じた前記監視用プログラムを復帰させる復帰処理部として前記監視用携帯端末を機能させる復帰用ウィジェットを有しており、前記復帰処理部は、以下の（i）〜（iii）のいずれか一つ以上の処理を行ってもよい。
（i）前記管理サーバからスクリーンショットの送信指示を受けた場合、前記監視用携帯端末のスクリーンショットを前記管理サーバへ送信する処理
（ii）前記管理サーバから前記監視用プログラムの再起動指示を受けた場合、前記監視用プログラムを再起動する処理
（iii）前記管理サーバから前記監視用携帯端末の再起動指示を受けた場合、前記監視用携帯端末を再起動する処理
【００１２】
さらに、本発明の一態様として、大きく変化した監視画像データのみを送信・蓄積し、通信量および記憶容量を抑制するという課題を解決するために、前記監視画像データ取得部は、静止画像を前記監視画像データとして取得した場合、直前に取得した監視画像データとの差異率を算出し、前記差異率が所定の閾値以上の監視画像データのみを管理サーバへ送信してもよい。
【００１３】
また、本発明の一態様として、ハードウエアを用いて充電をオン／オフすることにより、ソフトウエアによる充電のオン／オフ切り替えが禁止されている携帯端末であっても、監視カメラとして使用するという課題するために、充電ケーブルの通電状態を切り替え可能な通電切替装置、またはワイヤレス充電器の送電状態を切替可能な送電切替装置を有しており、前記温度制御処理部は、前記通電切替装置または前記送電切替装置に対して、前記監視用携帯端末の充電の停止または再開を指示してもよい。
【００１４】
本発明に係る防犯システムは、高温環境下であっても、スマートフォン等の携帯端末を監視カメラとして安定的に利用するとともに、防犯システムとしての信頼性を確保するという課題を解決するために、上述のいずれかの態様の監視用携帯端末と、前記監視用携帯端末を管理する管理サーバとを有する。
【００１５】
本発明に係る監視用プログラムは、高温環境下であっても、スマートフォン等の携帯端末を監視カメラとして安定的に利用するという課題を解決するために、常時充電しながら監視カメラとして用いられる監視用携帯端末で実行される監視用プログラムであって、前記監視用携帯端末に設けられたカメラから静止画像および／または動画像を監視画像データとして取得する監視画像データ取得部と、前記監視用携帯端末の端末温度が、前記端末温度を低下させる温度制御処理を開始するための処理開始温度以上であるか否か、および前記端末温度が前記温度制御処理を終了するための処理終了温度以下であるか否かを判定する端末温度判定部と、前記端末温度判定部によって、前記端末温度が前記処理開始温度以上であると判定された場合、前記監視用携帯端末の充電を停止し、前記端末温度が前記処理終了温度以下であると判定された場合、前記監視用携帯端末の充電を再開する温度制御処理部としてコンピュータを機能させる。
【００１６】
本発明に係る管理サーバは、監視用携帯端末に不具合が発生しても、自動的に復帰動作を行わせるという課題を解決するために、上述のいずれかの態様の監視用携帯端末から前記監視画像データを受信するとともに、前記監視用携帯端末へ指示を送信する管理サーバであって、前記監視用携帯端末から前記監視画像データが所定時間以上送信されてこないとき、前記スクリーンショットの送信指示、前記監視用プログラムの再起動指示、または前記監視用携帯端末の再起動指示を前記監視用携帯端末へ送信する。
【発明の効果】
【００１７】
本発明によれば、高温環境下であっても、スマートフォン等の携帯端末を監視カメラとして安定的に利用することができ、防犯システムとしての信頼性を確保することができる。
【図面の簡単な説明】
【００１８】
【図１】本発明に係る監視用携帯端末と管理サーバとを含む防犯システムの一実施形態を示すブロック図である。
【図２】本実施形態において、監視用携帯端末の設置状態を示す図である。
【図３】本実施形態において、復帰用ウィジェットによって実行される処理の流れを示すフローチャートである。
【図４】本実施形態において、監視用プログラムによって実行される処理の流れを示すフローチャートである。
【図５】本実施形態において、監視開始前温度制御処理を示すフローチャートである。
【図６】本実施形態において、監視開始後温度制御処理を示すフローチャートである。
【図７】（ａ）本実施例１の監視用携帯端末、（ｂ）比較例１の携帯端末、および（ｃ）比較例２の携帯端末のそれぞれについて、端末温度の推移を示すグラフである。
【発明を実施するための形態】
【００１９】
以下、本発明に係る監視用携帯端末およびこれを用いた防犯システム、監視用プログラム、ならびに管理サーバの一実施形態について図面を用いて説明する。
【００２０】
本実施形態の防犯システム１００は、図１に示すように、監視カメラとして用いられる監視用携帯端末１と、この監視用携帯端末１を管理する管理サーバ１０とを有しており、これらが互いに双方向通信可能に構成されている。以下、各構成について詳細に説明する。
【００２１】
監視用携帯端末１は、スマートフォンやタブレット端末等の携帯端末によって構成されており、監視カメラとして用いられるものである。本実施形態において、監視用携帯端末１は、図２に示すように、任意の場所に設置されるとともに、充電ケーブル１１を介してコンセント１２に接続され、常時充電しながら監視を行うようになっている。
【００２２】
また、本実施形態において、充電ケーブル１１の途中には、図２に示すように、充電ケーブル１１の通電状態を切り替え可能な通電切替装置１３が設けられている。この通電切替装置１３は、Ｂｌｕｅｔｏｏｔｈ（登録商標）等の近距離無線通信機能を有しており、監視用携帯端末１から充電の停止指示があれば、通電状態をオフに切り替える一方、充電の再開指示があれば、通電状態をオンに切り替えるようになっている。
【００２３】
監視用携帯端末１は、図１に示すように、主として、管理サーバ１０等との間でデータ通信を行う通信インターフェース２と、端末温度を検知する温度センサ３と、充電式のバッテリー４と、監視画像データを撮影するカメラ５と、本実施形態の監視用プログラム１ａや各種データを記憶する記憶手段６と、各種の演算処理を実行し後述する各構成部として機能する演算処理手段７とを有している。以下、監視用携帯端末１の各構成手段について説明する。
【００２４】
通信インターフェース２は、監視用携帯端末１に通信機能を実装するものである。本実施形態において、通信インターフェース２は、第４世代移動通信ネットワーク（４Ｇ）等のキャリアネットワーク規格と、Ｗｉ−Ｆｉ（登録商標）等の無線ＬＡＮ規格に対応しており、いずれかの通信ネットワークを介して管理サーバ１０に接続する。また、本実施形態において、通信インターフェース２は、Ｂｌｕｅｔｏｏｔｈ（登録商標）等の近距離無線通信規格にも対応しており、上述した通電切替装置１３に指示信号を出力しうるようになっている。
【００２５】
温度センサ３は、監視用携帯端末１に内蔵されており、監視用携帯端末１の端末温度を検出するものである。バッテリー４は、リチウムイオン電池等の充電池で構成されており、監視用携帯端末１の駆動源となるものである。カメラ５は、監視用携帯端末１に内蔵されており、監視対象の静止画像または動画像を撮影するものである。
【００２６】
記憶手段６は、ハードディスク、ＲＯＭ（Read Only Memory）、ＲＡＭ（Random Access Memory）、フラッシュメモリ等で構成されており、各種データを記憶するとともに、演算処理手段７が各種の演算処理を実行する際のワーキングエリアとして機能するものである。本実施形態において、記憶手段６は、図１に示すように、プログラム記憶部６１と、制御パラメータ記憶部６２と、監視画像データ記憶部６３とを有している。
【００２７】
プログラム記憶部６１には、監視動作を行うための監視用プログラム１ａと、不具合が生じた監視用プログラム１ａを復帰させるための復帰用ウィジェット１ｂとがインストールされている。そして、演算処理手段７が、監視用プログラム１ａを実行することにより、コンピュータを後述する制御パラメータ取得部７１と、端末温度判定部７２と、温度制御処理部７３と、監視画像データ取得部７４として機能させる。また、演算処理手段７が、監視用プログラム１ａとは別個に、復帰用ウィジェット１ｂを実行することにより、コンピュータを後述する復帰処理部７５として機能させる。
【００２８】
なお、監視用プログラム１ａの利用形態は、上記構成に限られるものではない。例えば、メモリーカード等のように、コンピュータで読み取り可能な非一時的な記録媒体に監視用プログラム１ａを記憶させておき、当該記録媒体から直接読み出して実行してもよい。また、外部サーバ等からＡＳＰ（Application Service Provider）方式やクラウドコンピューティング方式で利用してもよい。
【００２９】
制御パラメータ記憶部６２は、監視用携帯端末１の端末温度を低下させる温度制御処理に用いる制御パラメータを記憶するものである。本実施形態において、制御パラメータ記憶部６２は、図１に示すように、制御パラメータとして、処理開始温度と、処理終了温度と、温度チェック間隔と、最低充電率と、充電停止最大時間と、カメラ停止最大時間とを記憶するようになっている。以下、各制御パラメータについて説明する。
【００３０】
処理開始温度は、温度制御処理を開始するための温度であり、当該温度制御処理を開始するか否かを判定する際の基準として用いられる。また、処理終了温度は、温度制御処理を終了するための温度であり、当該温度制御処理を終了するか否かを判定する際の基準として用いられる。
【００３１】
なお、本実施形態において、処理開始温度は、監視用携帯端末１が高温によって本体を停止させる温度よりもやや低い温度に設定されている。これにより、本体が停止してしまう直前の段階で温度制御処理が開始され、それ以上の温度上昇が防止される。また、処理終了温度は、処理開始温度よりも低い温度に設定されている。これにより、端末温度が余裕を持って低下されるため、温度制御処理が頻繁に繰り返されることがない。よって、監視用携帯端末１の処理負荷が最小限に抑制されるため、端末温度の上昇が抑制される。
【００３２】
温度チェック間隔は、温度制御処理中に、端末温度がどの程度低下したかをチェックする時間間隔を規定するものである。また、最低充電率は、温度制御処理を続行するのに最低限必要なバッテリー４の充電率を規定するものである。
【００３３】
充電停止最大時間は、温度制御処理中に充電を停止する時間の最大値を規定するものである。充電停止最大時間は、後述するとおり、充電の停止時間が充電停止最大時間を超えても、端末温度が処理終了温度以下に低下しない場合には、カメラ５の停止や、監視用携帯端末１本体の再起動等、端末温度を低下させる他の方法に切り替えるために設定される。
【００３４】
カメラ停止最大時間は、温度制御処理中にカメラ５を停止する時間の最大値を規定するものである。カメラ停止最大時間は、後述するとおり、カメラ５の停止時間がカメラ停止最大時間を超えても、端末温度が処理終了温度以下に低下しない場合には、監視用携帯端末１本体の再起動等、端末温度を低下させる他の方法に切り替えるために設定される。
【００３５】
なお、本実施形態において、制御パラメータ記憶部６２は、上述した制御パラメータに加えて、ユーザ名、カメラ名、ネットワークの種別（無線ＬＡＮ回線，携帯電話網，両方）、ガンマ補正値（映像が暗い場合の補正値）、映像種別（静止画像，動画像）、静止画像情報（撮影間隔，差異率の閾値，画素数）、動画像情報（フレーム数，画素数，連続撮影時間）等の情報を記憶するようになっている。
【００３６】
監視画像データ記憶部６３は、後述する監視画像データ取得部７４によって取得された監視画像データを記憶するものである。本実施形態において、監視画像データ記憶部６３は、監視用携帯端末１が管理サーバ１０に接続できない場合に、監視画像データをローカルに保存しておくために用いられる。
【００３７】
演算処理手段７は、ＣＰＵ（Central Processing Unit）等によって構成されており、プログラム記憶部６１にインストールされた監視用プログラム１ａを実行することにより、図１に示すように、制御パラメータ取得部７１と、端末温度判定部７２と、温度制御処理部７３と、監視画像データ取得部７４として機能する。また、演算処理手段７は、プログラム記憶部６１にインストールされた復帰用ウィジェット１ｂを実行することにより、復帰処理部７５として機能する。以下、各構成部についてより詳細に説明する。
【００３８】
制御パラメータ取得部７１は、管理サーバ１０から制御パラメータを取得するものである。本実施形態において、制御パラメータ取得部７１は、監視用携帯端末１が管理サーバ１０に接続されたとき、通信インターフェース２を介して制御パラメータを取得する。また、制御パラメータ取得部７１は、監視用携帯端末１が監視画像データを管理サーバ１０へ送信するたびに、制御パラメータを取得する。そして、制御パラメータ取得部７１は、新たに取得した制御パラメータによって、制御パラメータ記憶部６２に記憶されている制御パラメータを更新するようになっている。
【００３９】
端末温度判定部７２は、監視用携帯端末１の端末温度を判定するものである。本実施形態において、端末温度判定部７２は、温度センサ３によって検出された端末温度と、制御パラメータ記憶部６２に設定されている処理開始温度および処理終了温度とを比較する。そして、端末温度判定部７２は、端末温度が処理開始温度以上であるか否か、および端末温度が処理終了温度以下であるか否かを判定するようになっている。
【００４０】
温度制御処理部７３は、監視用携帯端末１の端末温度を低下させる温度制御処理を行うものである。本実施形態において、温度制御処理部７３は、端末温度判定部７２によって、端末温度が処理開始温度以上であると判定された場合、監視用携帯端末１の充電を停止し、端末温度を低下させる。一方、温度制御処理部７３は、温度制御処理の実行中に、端末温度が処理終了温度以下であると判定された場合、監視用携帯端末１の充電を再開する。具体的には、温度制御処理部７３は、充電の停止または再開を指示する指示信号を通信インターフェース２を介して通電切替装置１３に送信するようになっている。
【００４１】
また、本実施形態において、温度制御処理部７３は、温度制御処理を実行している間、すなわち、充電を停止している間は、監視用携帯端末１の充電率を監視する。そして、当該充電率が、制御パラメータ記憶部６２に設定されている最低充電率以下となった場合、温度制御処理部７３は、温度制御処理の続行は不可能であると判断し、監視用携帯端末１を再起動させるようになっている。これにより、端末温度が大きく低下し、充電が再開されることとなる。
【００４２】
さらに、本実施形態において、温度制御処理部７３は、温度制御処理を実行している間、充電の停止時間を監視する。そして、当該停止時間が、制御パラメータ記憶部６２に設定されている充電停止最大時間を超えた場合、温度制御処理部７３は、端末温度の低下率が低いと判断し、以下の処理を実行する。すなわち、カメラ５を起動する前であれば、監視用携帯端末１を再起動させる。一方、カメラ５の起動中であれば、カメラ５を停止する。これにより、充電およびカメラ５の双方が停止されるため、端末温度の低下率が向上する。
【００４３】
また、本実施形態において、温度制御処理部７３は、カメラ５を停止している間、カメラ５の停止時間を監視する。そして、当該停止時間が、制御パラメータ記憶部６２に設定されているカメラ停止最大時間を超えた場合、温度制御処理部７３は、カメラ５を停止しても端末温度の低下率が低いと判断し、監視用携帯端末１を再起動させる。一方、カメラ５の停止時間がカメラ停止最大時間に達する前に、端末温度が処理終了温度以下となった場合、温度制御処理部７３は、監視用携帯端末１が直ちに停止することがない程度に端末温度が低下したと判断し、カメラ５を起動するとともに充電を再開する。
【００４４】
以上より、本実施形態において、温度制御処理部７３は、以下の（ａ）〜（ｃ）のいずれかの場合に、監視用携帯端末１を再起動させるようになっている。
（ａ）充電の停止中に、監視用携帯端末１の充電率が所定の最低充電率以下となった場合
（ｂ）カメラ５を起動する前に、充電の停止時間が所定の最大時間を超えた場合
（ｃ）カメラ５の停止中に、カメラ５の停止時間が所定の最大時間を超えた場合
【００４５】
監視画像データ取得部７４は、カメラ５から静止画像および／または動画像を監視画像データとして取得するものである。本実施形態において、監視画像データ取得部７４は、映像種別として静止画像が設定されている場合、撮影間隔が経過するたびに、カメラ５から静止画像を監視画像データとして取得する。一方、映像種別として動画像が設定されている場合、監視画像データ取得部７４は、カメラ５から連続撮影時間分の動画像を監視画像データとして取得する。そして、監視画像データ取得部７４は、取得した監視画像データを随時、管理サーバ１０へ送信するようになっている。
【００４６】
なお、本実施形態において、監視画像データ取得部７４は、静止画像を監視画像データとして取得した場合、直前に取得した監視画像データとの差異率を算出する。そして、当該差異率が制御パラメータ記憶部６２に設定されている差異率の閾値以上の監視画像データのみを管理サーバ１０へ送信し、それ以外の監視画像データは破棄するようになっている。これにより、画像に大きな変化があった場合にのみ監視画像データが送信されるため、データの通信量や記憶容量が必要最小限に抑制される。
【００４７】
また、本実施形態において、監視画像データ取得部７４は、監視用携帯端末１が管理サーバ１０に接続できない場合、取得した監視画像データを一旦、ローカルの監視画像データ記憶部６３に保存するようになっている。なお、監視画像データ記憶部６３に保存した監視画像データは、管理サーバ１０に接続できた時点で自動的に送信してもよく、後から記録媒体等に取り出してもよい。
【００４８】
復帰処理部７５は、不具合が生じた監視用プログラム１ａを復帰させるものである。本実施形態において、復帰処理部７５は、監視用携帯端末１に常駐する復帰用ウィジェット１ｂによって実行され、立ち上がりと同時に監視用プログラム１ａを起動する。そして、復帰処理部７５は、管理サーバ１０からの指示データに応じて、以下の（i）〜（iii）のいずれか一つ以上の処理を行うようになっている。
【００４９】
（i）管理サーバ１０からスクリーンショットの送信指示を受けた場合、監視用携帯端末１のスクリーンショットを管理サーバ１０へ送信する処理
（ii）管理サーバ１０から監視用プログラム１ａの再起動指示を受けた場合、監視用プログラム１ａを再起動する処理
（iii）管理サーバ１０から監視用携帯端末１の再起動指示を受けた場合、監視用携帯端末１を再起動する処理
【００５０】
管理サーバ１０は、データベースサーバ等のコンピュータによって構成されており、監視画像データ等を管理するためのものである。本実施形態において、管理サーバ１０は、主として、通信ネットワークを介して監視用携帯端末１から監視画像データを受信するとともに、指示データや制御パラメータを監視用携帯端末１へ送信するための通信機能と、監視画像データや制御パラメータを監視用携帯端末１ごとに管理するためのメモリ機能と、管理サーバ１０の動作を制御するための制御機能とを有している。
【００５１】
本実施形態において、管理サーバ１０は、管理対象とする複数の監視用携帯端末１のそれぞれについて、監視画像データの受信状況を監視する。そして、ある監視用携帯端末１から監視画像データが所定時間以上送信されてこないとき、当該監視用携帯端末１の監視用プログラム１ａに何らかの不具合が発生した可能性が高いと判断し、上述したスクリーンショットの送信指示、監視用プログラム１ａの再起動指示、または監視用携帯端末１の再起動指示等の指示データを監視用携帯端末１へ送信するようになっている。
【００５２】
つぎに、本実施形態の監視用携帯端末１およびこれを用いた防犯システム１００、監視用プログラム１ａ、ならびに管理サーバ１０の作用について、図面を参照しつつ説明する。
【００５３】
まず、本実施形態の監視用携帯端末１および防犯システム１００を用いて、任意の監視対象を監視する場合、監視用携帯端末１の復帰用ウィジェット１ｂを立ち上げる。これにより、復帰処理部７５が、図３に示すように、監視用プログラム１ａを起動する（ステップＳ１）。そして、監視用プログラム１ａの実行中、復帰処理部７５は、管理サーバ１０から指示データを受信したか否かを常時監視する（ステップＳ２）。
【００５４】
管理サーバ１０から指示データを受信しない限り（ステップＳ２：ＮＯ）、復帰処理部７５は何の処理も実行しない。一方、管理サーバ１０から指示データを受信し（ステップＳ２：ＹＥＳ）、当該指示データがスクリーンショットの送信指示であれば（ステップＳ３：ＹＥＳ）、復帰処理部７５が管理サーバ１０へスクリーンショットを送信する（ステップＳ４）。これにより、管理サーバ１０では、当該スクリーンショットに基づいて、監視用携帯端末１の状態を把握することが可能となる。
【００５５】
また、受信した指示データが監視用プログラム１ａの再起動指示であれば（ステップＳ５：ＹＥＳ）、復帰処理部７５が監視用プログラム１ａを一旦終了させた後（ステップＳ６）、再び起動させる（ステップＳ１）。これにより、監視用プログラム１ａがフリーズした場合には、再起動させて復帰することが可能となる。
【００５６】
さらに、受信した指示データが監視用携帯端末１の再起動指示であれば（ステップＳ７：ＹＥＳ）、復帰処理部７５が監視用携帯端末１を再起動させる（ステップＳ８）。これにより、監視用プログラム１ａの再起動では解消しないような不具合が解消され、監視可能な状態に復帰する可能性が向上する。なお、受信した指示データが監視用携帯端末１の再起動指示でもなければ（ステップＳ７：ＮＯ）、当該指示データに応じた処理を実行する（ステップＳ９）。
【００５７】
以上のように、監視用プログラム１ａとは別個に、復帰用ウィジェット１ｂを常駐させることにより、監視用プログラム１ａがフリーズ等の不具合を発生した場合でも、管理サーバ１０からの指示によって復帰させられる可能性が向上する。また、復帰処理部７５の機能を復帰用ウィジェット１ｂにより機能させることにより、監視用プログラム１ａによって機能させる場合と比較して、処理を実行する際の待ち時間が短くなる上、プログラム自体が簡素化する。
【００５８】
つぎに、監視用プログラム１ａによって実行される監視動作について図４から図６を参照しつつ説明する。なお、本実施形態では、監視画像データの映像種別として、静止画像が設定されている場合について説明する。
【００５９】
復帰処理部７５によって起動された監視用プログラム１ａは、図４に示すように、まず、制御パラメータ記憶部６２に保存済みの制御パラメータをカレントデータとして設定する（ステップＳ１１）。これにより、管理サーバ１０に接続することができない場合であっても、最後に使用した制御パラメータを用いて監視動作を開始することが可能となる。
【００６０】
つぎに、監視用プログラム１ａは、管理サーバ１０への接続を試行し（ステップＳ１２）、接続できた場合（ステップＳ１２：ＹＥＳ）、制御パラメータ取得部７１が管理サーバ１０から制御パラメータを取得する（ステップＳ１３）。これにより、制御パラメータ記憶部６２では、最新の制御パラメータに更新されるため、管理者の意図した監視動作が可能になる。一方、管理サーバ１０への接続に失敗した場合（ステップＳ１２：ＮＯ）、ステップＳ１１で設定した制御パラメータを用いて、ステップＳ１４以降の処理へ進む。
【００６１】
つづいて、監視動作を開始するにあたり、端末温度判定部７２は、端末温度が処理開始温度以上であるか否かを判定する（ステップＳ１４）。当該判定の結果、端末温度が処理開始温度以上である場合（ステップＳ１４：ＹＥＳ）、温度制御処理部７３は、監視動作の開始前に端末温度を制御するための監視開始前温度制御処理を実行する（ステップＳ１５）。以下、当該監視開始前温度制御処理について、図５を参照しつつ説明する。
【００６２】
監視開始前温度制御処理では、まず、温度制御処理部７３が充電の停止を指示する（ステップＳ３１）。これにより、バッテリー４の発熱が抑制されるため、端末温度が低下する。また、本実施形態において、温度制御処理部７３は、通電切替装置１３というハードウエアに対して通電状態をオフにする指示を送信することにより、充電を停止させる。このため、ソフトウエアによる充電のオン／オフ切り替えが禁止されている携帯端末であっても、監視カメラとして使用することが可能となる。
【００６３】
つぎに、温度制御処理部７３は、温度チェック間隔が経過するのを待機した後（ステップＳ３２）、現在の充電率が最低充電率を上回っているか否かを判定する（ステップＳ３３）。当該判定の結果、現在の充電率が最低充電率以下であれば（ステップＳ３３：ＮＯ）、充電を停止したまま本処理を続行するのは不可能と判断し、監視用携帯端末１の電源を一旦落として再起動させる（ステップＳ３４）。これにより、再起動された監視用携帯端末１では、端末温度が大幅に低下するため、充電が再開される。
【００６４】
一方、現在の充電率が最低充電率を上回っている場合（ステップＳ３３：ＹＥＳ）、温度制御処理部７３は、充電を停止している時間が充電停止最大時間以下であるか否かを判定する（ステップＳ３５）。当該判定の結果、充電の停止時間が充電停止最大時間を超えた場合（ステップＳ３５：ＮＯ）、監視用携帯端末１を再起動させる（ステップＳ３４）。これにより、充電を停止しただけでは、端末温度が低下しにくい高温環境下であっても、端末温度が低下する。
【００６５】
一方、ステップＳ３５における判定の結果、充電の停止時間が充電停止最大時間以下である場合（ステップＳ３５：ＹＥＳ）、端末温度判定部７２は、端末温度が処理終了温度以下であるか否かを判定する（ステップＳ３６）。当該判定の結果、端末温度が依然として処理終了温度を上回っている場合（ステップＳ３６：ＮＯ）、ステップＳ３２へ戻る。これにより、充電率が最低充電率を満たしている限り、充電停止最大時間が経過するまで間は、充電の停止によって端末温度が処理終了温度以下まで低下するのを待機する。
【００６６】
一方、ステップＳ３６における判定の結果、端末温度が処理終了温度以下となった場合（ステップＳ３６：ＹＥＳ）、温度制御処理部７３は、端末温度が十分に低下したものと判断し、充電の再開を指示する（ステップＳ３７）。これにより、監視動作を開始する時点で端末温度が高い場合であっても、自動的に端末温度を低下させることにより、監視動作を開始することが可能となる。
【００６７】
図４のフローチャートに戻り、ステップＳ１４における判定の結果、端末温度が処理開始温度未満の場合（ステップＳ１４：ＮＯ）、または、監視開始前温度制御処理によって端末温度が低下されると（ステップＳ１５）、監視用プログラム１ａがカメラ５を起動する（ステップＳ１６）。これにより、監視動作が開始される。
【００６８】
監視動作が開始されると、監視画像データ取得部７４が、カメラ５から監視画像データを取得する（ステップＳ１７）。そして、取得した監視画像データと直前に取得した監視画像データとの差異率が閾値以上であるか否かを判定する（ステップＳ１８）。当該判定の結果、閾値未満である場合（ステップＳ１８：ＮＯ）、取得した監視画像データを破棄する（ステップＳ１９）。
【００６９】
一方、差異率が閾値以上である場合（ステップＳ１８：ＹＥＳ）、監視画像データ取得部７４は、取得した監視画像データを管理サーバ１０へ送信する（ステップＳ２０）。これにより、画像にある程度目立った変化があった監視画像データのみが保存されるため、データの通信量や記憶容量が抑制されつつ必要な監視情報を得ることができる。また、監視画像データを後から確認する際の作業量が軽減する。
【００７０】
ただし、監視画像データを送信する際、管理サーバ１０に接続できなければ（ステップＳ２１：ＮＯ）、取得した監視画像データを一旦、監視画像データ記憶部６３に保存する（ステップＳ２３）。これにより、一時的なネットワーク障害等が発生した場合でも、記憶手段６の記憶容量が許す限り、監視画像データが蓄積されるため、空白期間の発生が抑制される。
【００７１】
一方、管理サーバ１０に接続できれば（ステップＳ２１：ＹＥＳ）、制御パラメータ取得部７１が管理サーバ１０から制御パラメータを取得する（ステップＳ２２）。これにより、監視動作の開始時に制御パラメータを取得できなかった場合でも、管理サーバ１０と接続できたタイミングで、最新の制御パラメータに更新される。
【００７２】
そして、撮影間隔が経過するのを待機した後（ステップＳ２４）、端末温度判定部７２が端末温度を確認する（ステップＳ２５）。その結果、端末温度が処理開始温度未満であれば（ステップＳ２５：ＮＯ）、監視動作の終了指示がない限り（ステップＳ２７：ＮＯ）、ステップＳ１７からの監視動作を繰り返す。
【００７３】
一方、端末温度が処理開始温度以上に上昇した場合（ステップＳ２５：ＹＥＳ）、温度制御処理部７３は、監視動作の開始後に端末温度を制御するための監視開始後温度制御処理を実行する（ステップＳ２６）。以下、当該監視開始後温度制御処理について、図６を参照しつつ説明する。
【００７４】
監視開始後温度制御処理では、まず、温度制御処理部７３が、上述した監視開始前温度制御処理とほぼ同等の処理を実行する。監視開始前温度制御処理と異なる点は、充電の停止時間が充電停止最大時間を超えている場合（ステップＳ３５：ＮＯ）の処理と、端末温度が処理終了温度を上回っている場合（ステップＳ３６：ＮＯ）の処理である。なお、監視開始後温度制御処理の処理のうち、上述した監視開始前温度制御処理と同一もしくは相当する処理については同一のステップ番号を付し、再度の説明を省略する。
【００７５】
監視開始後温度制御処理において、端末温度が処理終了温度を上回っている場合（ステップＳ３６：ＮＯ）、監視用プログラム１ａは、上述したステップＳ１７からステップＳ２４までの処理と同一の処理によって監視画像データを取得した後（ステップＳ３８）、ステップＳ３２へ戻る。これにより、充電を停止して端末温度が低下するのを待機している間も、監視画像データが蓄積される。
【００７６】
また、監視開始後温度制御処理において、充電の停止時間が充電停止最大時間を超えている場合（ステップＳ３５：ＮＯ）、温度制御処理部７３は、直ちに監視用携帯端末１を再起動させるのではなく、カメラ５を停止する（ステップＳ３９）。これにより、バッテリー４の発熱が抑制された状態で、カメラ５の発熱も抑制されるため、端末温度の低下率が向上する。
【００７７】
その後、温度制御処理部７３は、温度チェック間隔が経過するのを待機した後（ステップＳ４０）、カメラ５を停止している時間がカメラ停止最大時間以下であるか否かを判定する（ステップＳ４１）。当該判定の結果、カメラ５の停止時間がカメラ停止最大時間を超えた場合（ステップＳ４１：ＮＯ）、監視用携帯端末１を再起動させる（ステップＳ３４）。これにより、充電およびカメラ５の両方を停止しても、端末温度が低下しにくい高温環境下では、監視用携帯端末１の電源を一旦落として再起動することにより端末温度が低下する。
【００７８】
一方で、ステップＳ４１における判定の結果、カメラ５の停止時間がカメラ停止最大時間以下であれば（ステップＳ４１：ＹＥＳ）、端末温度判定部７２は、端末温度が処理終了温度以下であるか否かを判定する（ステップＳ４２）。当該判定の結果、端末温度が依然として処理終了温度を超えている場合（ステップＳ４２：ＮＯ）、ステップＳ４０へ戻る。これにより、充電率が最低充電率を満たしている限り、充電停止最大時間が経過した後も、カメラ停止最大時間が経過するまで間は、充電およびカメラ５の両方を停止して端末温度が処理終了温度以下まで低下するのを待機する。
【００７９】
一方、ステップＳ４２における判定の結果、端末温度が処理終了温度以下となった場合（ステップＳ４２：ＹＥＳ）、温度制御処理部７３は、端末温度が十分に低下したものと判断し、カメラ５を起動するとともに（ステップＳ４３）、充電の再開を指示する（ステップＳ３７）。これにより、監視動作中に端末温度が上昇した場合であっても、自動的に端末温度が低下されるため、監視動作を続行することが可能となる。
【００８０】
以上のとおり、監視動作中に端末温度が高くなった場合には、充電のみ停止、充電・カメラ５の両方を停止、および監視用携帯端末１の再起動の順で端末温度の低下を試みる。このため、充電の停止のみで端末温度が十分に低下すれば、監視動作は全く中断されることがない。また、充電・カメラ５の停止によって、端末温度が十分に低下すれば、監視用携帯端末１の電源を落として再起動させる場合と比較して、監視動作の中断時間が短縮される。さらに、充電やカメラ５の停止では、端末温度が低下しにくい環境下でも、監視用携帯端末１の再起動により、一旦電源が落ちるため端末温度が大幅に低下する。よって、高温環境下であっても、監視用携帯端末１は監視カメラとして安定的に動作し、防犯システム１００としての信頼性を確保する。
【００８１】
以上のような本実施形態によれば、以下のような効果を奏する。
１．高温環境下であっても、スマートフォン等の携帯端末を監視カメラとして安定的に利用することができる。
２．充電の停止のみでは、端末温度が低下しにくい状況下であっても、端末温度の低下率を向上することができる。
３．充電およびカメラ５の両方を停止しても、端末温度が低下しにくい状況下において、端末温度を処理開始温度以下に低下させることができる。
４．監視用プログラム１ａに不具合が発生しても、監視用プログラム１ａとは別個に動作する復帰用ウィジェット１ｂによって復帰させることができる。
５．大きく変化した監視画像データのみを送信・蓄積し、通信量および記憶容量を抑制することができる。
６．通電切替装置１３のようなハードウエアを用いて充電をオン／オフすることにより、ソフトウエアによる充電のオン／オフ切り替えが禁止されている携帯端末であっても、監視カメラとして使用することができる。
７．監視動作が長時間中断するのを抑制し、防犯システム１００としての信頼性を確保することができる。
８．監視用携帯端末１に不具合が発生しても、遠隔地から自動的に復帰動作を行わせることができる。
９．安価な携帯端末を監視カメラとして利用でき、個人的な施設、中小規模の施設、あるいは仮設的・一時的な施設等における利用を促進することができる。
１０．既存の通信インフラストラクチャーを利用できる場所であれば、どこでも簡単に導入することができる。
【００８２】
つぎに、本発明に係る監視用携帯端末１およびこれを用いた防犯システム１００、監視用プログラム１ａ、ならびに管理サーバ１０の具体的な実施例について説明する。
【実施例１】
【００８３】
本実施例１では、本実施形態の温度制御処理の作用効果を確認する実験を行った。具体的には、市販のスマートフォンに本実施形態の監視用プログラム１ａをインストールし、本実施形態の監視用携帯端末１を用意した。そして、当該監視用携帯端末１を日が当たる屋外に設置し、常時充電しながら２４時間監視動作を行わせ、その端末温度を計測した。その結果を図７（ａ）に示す。
【００８４】
一方、比較例１として、本実施形態の監視用プログラム１ａをインストールしていないスマートフォンを用意し、温度制御処理を一切行うことなく同様の実験を行った。さらに、比較例２として、比較例１のスマートフォンに、扇風機で冷風を当てながら同様の実験を行った。それぞれの結果を図７（ｂ）および図７（ｃ）に示す。
【００８５】
なお、実験に用いたスマートフォンは、端末温度が約４２℃以上になると本体が停止するように設定されていた。また、本実施例１において、温度制御処理に用いた制御パラメータは以下のとおりであった。
処理開始温度：４０℃以上
処理終了温度：３７℃以下
温度チェック間隔：１０秒
最低充電率：２０％
充電停止最大時間：２０分
カメラ停止最大時間：１０分
【００８６】
図７（ａ）に示すように、本実施例１の監視用携帯端末１では、日差しの強い時間帯であっても、本体が停止する温度の手前で端末温度が保持されることが確認された。また、カメラ５が数分程度停止することはあっても、１時間以上の長時間に渡って停止してしまうことはなかった。
【００８７】
一方、図７（ｂ）に示すように、比較例１では、１２時から１７時までの間、本体が停止したままであった。また、図７（ｃ）に示すように、冷風を当てて冷却を試みた比較例２においても、１２時半から１６時までの間、本体が停止したままであった。
【００８８】
以上のような本実施例１によれば、本実施形態の監視用携帯端末１および監視用プログラム１ａは、スマートフォンを長時間に渡って停止させることなく、監視カメラとして安定的に動作することが示された。また、本実施形態の防犯システム１００は、実用レベルの信頼性を有していることが示された。
【００８９】
なお、本発明に係る監視用携帯端末１およびこれを用いた防犯システム１００、監視用プログラム１ａ、ならびに管理サーバ１０は、上述した本実施形態に限定されるものではなく、適宜変更することができる。
【００９０】
例えば、上述した本実施形態では、監視開始後温度制御処理において、まず充電を停止し、その後、カメラ５を停止する処理として説明したが、この構成に限定されるものではなく、充電停止最大時間をゼロに設定し、充電の停止と同時にカメラ５も停止するようにしてもよい。
【００９１】
また、上述した本実施形態では、監視画像データとして静止画像を取得していたが、動画像を取得してもよい。この場合、図４におけるステップＳ１８およびステップＳ１９の処理は実行されない。
【００９２】
さらに、本実施形態では、差異率が所定の閾値以上の監視画像データのみを管理サーバへ送信いたが、この構成に限定されるものではない。すなわち、高度なセキュリティレベルが要求される場合には、わずかな変化も見落とさないように閾値をゼロに設定し、取得した全ての監視画像データを管理サーバへ送信するようにしてもよい。
【００９３】
また、本実施形態では、監視用携帯端末１が充電ケーブル１１を介してコンセント１２に接続していたが、この構成に限定されるものではなく、ワイヤレス充電器によって常時充電するように構成されていてもよい。この場合、ワイヤレス充電器の送電状態を切替可能な送電切替装置（図示せず）をワイヤレス充電器に設け、監視用携帯端末１から充電の停止指示があれば、送電状態をオフに切り替える一方、充電の再開指示があれば、送電状態をオンに切り替えるようにしてもよい。また、ソフトウエア上で充電の開始と停止を直接制御可能な携帯端末においては、通電切替装置１３や送電切替装置を設ける必要はない。
【符号の説明】
【００９４】
１  監視用携帯端末
１ａ  監視用プログラム
１ｂ  復帰用ウィジェット
２  通信インターフェース
３  温度センサ
４  バッテリー
５  カメラ
６  記憶手段
７  演算処理手段
１０  管理サーバ
１１  充電ケーブル
１２  コンセント
１３  通電切替装置
６１  プログラム記憶部
６２  制御パラメータ記憶部
６３  監視画像データ記憶部
７１  制御パラメータ取得部
７２  端末温度判定部
７３  温度制御処理部
７４  監視画像データ取得部
７５  復帰処理部
１００  防犯システム
【図１】
2019154013.tif 000003
【図２】
2019154013.tif 000004
【図３】
2019154013.tif 000005
【図４】
2019154013.tif 000006
【図５】
2019154013.tif 000007
【図６】
2019154013.tif 000008
【図７】
2019154013.tif 000009